【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
コミュニケーション能力に障害があるかまたはコミュニケーション能力が低下した非吃音性の病状を有する被験者を治療するためのシステムの操作方法であって、
被験者のコミュニケーション能力を改善するために、非吃音性の病状を有する被験者が発話または発声している間に、該被験者に周波数変換された聴覚フィードバック信号を伝達するステップを含む方法。
【請求項２】
第１の周波数で前記被験者のアナログ聴覚信号を受信するステップと、受信された信号を周波数領域におけるデジタル信号に変換するステップと、そのデジタル信号の周波数を＋／−２オクターブの範囲内で変換するステップと、周波数を変換して得られた信号を時間領域におけるアナログ信号に変換し戻すステップと、結果的に得られた周波数変換された聴覚フィードバック信号を前記受信するステップから時を置かずに被験者に与えるステップとを更に含む請求項１に記載の方法。
【請求項３】
前記周波数変換された聴覚フィードバック信号を伝達するステップは、ユーザの耳に装着される筐体を含み通常の稼働時には外部ケーブルを使用しないコンパクト装置を使用することを含み、伝達される前記周波数変換された聴覚フィードバック信号は＋／−２オクターブの範囲内で望ましい量だけ周波数がシフトされるものである請求項１に記載の方法。
【請求項４】
前記装置は、ＢＴＥ（耳掛形）、ＩＴＥ（耳穴形）、ＩＴＣ（外耳道内挿入形）、またはＣＩＣ（外耳道内完全挿入形）のいずれかのタイプの装置を構成するものである請求項３に記載の方法。
【請求項５】
前記被験者は、学習障害（ＬＤ）と診断されたものであり、前記伝達するステップを用いて前記被験者の学習能力を向上させるものである請求項１に記載の方法。
【請求項６】
対象となる前記非吃音性の病状は、読字不能または読字障害であり、周波数変換された聴覚フィードバック信号を前記被験者に伝達することにより該被験者の読字能力が改善されるものである請求項５に記載の方法。
【請求項７】
対象となる前記非吃音性の病状は失読症である請求項１に記載の方法。
【請求項８】
対象となる前記非吃音性の病状は注意欠如障害（ＡＤＤ）および／または注意欠陥過活動性障害（ＡＤＨＤ）である請求項１に記載の方法。
【請求項９】
対象となる前記非吃音性の病状は自閉症である請求項１に記載の方法。
【請求項１０】
対象となる前記非吃音性の病状は統合失調症である請求項１に記載の方法。
【請求項１１】
対象となる前記非吃音性の病状はパーキンソン病である請求項１に記載の方法。
【請求項１２】
対象となる前記非吃音性の病状はアルツハイマー病である請求項１に記載の方法。
【請求項１３】
対象となる前記非吃音性の病状は、脳外傷、脳機能障害、または脳外傷性障害である請求項１に記載の方法。
【請求項１４】
対象となる前記非吃音性の病状は失読症である請求項１に記載の方法。
【請求項１５】
前記被験者は未就学年齢の子供である請求項１に記載の方法。
【請求項１６】
前記被験者は小学校年齢の子供である請求項１に記載の方法。
【請求項１７】
コミュニケーション能力に障害または機能不全がある非吃音性、音声、言語、または伝達の病状または障害を有する被験者を、周波数変換された聴覚フィードバックを使用して治療するための装置であって、
通常稼働時に外部ケーブルを使用せず、被験者の発話に関連する聴覚信号を個体の少なくとも一方のすぐ耳元で受信するように構成され、該個体の少なくとも一方の外耳道と連通する耳装着装置であり、
前記装置を介して前記被験者の発話に関連する音声信号を受信するステップと、
受信された音声信号から周波数を＋／−２オクターブの間でシフトさせて得られる周波数変換された聴覚フィードバック信号を前記装置から生成する手段と、
前記周波数変換された聴覚フィードバック信号を前記被験者の少なくとも一方の外耳道に送信する手段と
を含んでなる装置。
【請求項１８】
前記受信する手段は、第１の周波数で被験者のアナログ聴覚信号を受信するように構成されており、前記生成する手段は、
受信された前記信号を周波数領域におけるデジタル信号に変換するための手段と
変換して得られた前記デジタル信号の周波数を＋／−２オクターブの範囲内で変換するための手段と、
周波数を変換して得られた前記信号を時間領域におけるアナログ信号へと変換し戻すための手段と
を更に含んでなる請求項１７に記載の装置。
【請求項１９】
コミュニケーション障害のあるユーザの非吃音性の病状を治療するための携帯型装置であって、
（ａ）ユーザの耳に装着されるように構成され、対向する遠位面と近位面とを有し、これらの面のうち少なくとも近位面はユーザの外耳道内に配置されるように構成された筐体と、
（ｂ）前記筐体内に含まれ、（ｉ）ユーザの発話に関連する聴覚信号に応じた入力信号を生成する受信機と、（ｉｉ）前記受信機と連動して周波数変換された聴覚信号を生成するための周波数変換された聴覚フィードバック回路と、（ｉｉｉ）前記筐体内に含まれ前記周波数変換された聴覚フィードバック回路と連動して前記周波数変換された聴覚信号をユーザに送信するための送信機とを含む信号プロセッサと、
（ｃ）前記信号プロセッサと連動し、該信号プロセッサに電力を供給するための電源と
を含んでなる携帯型装置。
【請求項２０】
前記周波数変換を２オクターブの範囲内の望ましい間隔でプログラム可能に調整するように構成されている請求項１７から１９のいずれかに記載の装置。
【請求項２１】
ＢＴＥ（耳掛形）、ＩＴＥ（耳穴形）、ＩＴＣ（外耳道内挿入形）、またはＣＩＣ（外耳道内完全挿入形）装置のいずれか１つのタイプの装置を含むものである請求項１７から２０のいずれかに記載の装置。
【請求項２２】
前記信号プロセッサは、外部から調整できる周波数シフトを有するデジタル・プログラム可能な信号プロセッサであり、前記信号プロセッサはデジタル信号プロセッサであり、前記受信機は前記デジタル信号プロセッサと一体化したマイクロホンである請求項１９に記載の携帯型装置。
【請求項２３】
進行性の退化性神経疾患を治療するために使用される治療装置である請求項１７から２２のいずれかに記載の携帯型装置。
【請求項２４】
パーキンソン病を治療するために使用される治療装置である請求項１７から２２のいずれかに記載の携帯型装置。
【請求項２５】
自閉症を治療するために使用される治療装置である請求項１７から２２のいずれかに記載の携帯型装置。
【請求項２６】
読字不能、読字困難、または読字障害を治療するために使用される治療装置である請求項１７から２２のいずれかに記載の携帯型装置。
【請求項２７】
診断された学習障害を治療するように構成された治療装置である請求項１７から２２のいずれかに記載の携帯型装置。
【請求項２８】
注意力欠如障害（ＡＤＤ）および／または注意欠陥過活動性障害（ＡＤＨＤ）を治療するように構成された治療装置である請求項１７から２２のいずれかに記載の携帯型装置。
【請求項２９】
小学校年齢の子供の耳に挿入可能な形状とサイズに作られている請求項１７から２２のいずれかに記載の携帯型装置。
【請求項３０】
未就学年齢の子供の耳に挿入可能な形状とサイズに作られている請求項１７から２２のいずれかに記載の携帯型装置。
【請求項３１】
十代の若者の耳に挿入可能な形状とサイズに作られている請求項１７から２２のいずれかに記載の携帯型装置。